【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
遊技店に設置されて遊技者が遊技を行うことが可能な遊技機において、
前記遊技機の電力供給が開始されたことに基づいて、遊技者に対する有利度を設定可能な有利度設定手段と、
前記有利度設定手段によって設定された有利度を記憶する有利度記憶手段と、
有利度を示唆する有利度示唆演出を実行する有利度示唆演出実行手段とを備え、
前記有利度記憶手段は、所定営業日に設定されていた有利度を記憶するとともに、前記遊技機への電力供給が停止された後も該所定営業日に設定されていた有利度を継続して記憶することが可能であり、
前記有利度示唆演出実行手段は、前記所定営業日以降の営業日において前記遊技機への電力供給が開始されて遊技の制御が開始されたときに、前記有利度記憶手段が記憶している前記所定営業日に設定されていた有利度を示唆する前記有利度示唆演出を実行する、遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技店に設置されて遊技者が遊技を行うことが可能な遊技機に関する。
【手続補正４】
【補正対象書類名】明細書
【補正対象項目名】０００９
【補正方法】変更
【補正の内容】
【０００９】
本発明は、上記実情に鑑みてなされたものであり、遊技の興趣を向上できる遊技機を提供することを目的とする。
【手続補正５】
【補正対象書類名】明細書
【補正対象項目名】００１０
【補正方法】変更
【補正の内容】
【００１０】
（１）上記目的を達成するため、本発明に係る遊技機は、
遊技店に設置されて遊技者が遊技を行うことが可能な遊技機（例えば、スロットマシン１）において、
前記遊技機の電力供給が開始されたことに基づいて、遊技者に対する有利度を設定可能な有利度設定手段（例えば、メイン制御部４１が遊技店の店員による設定キースイッチ３７、リセット／設定スイッチ３８、電源スイッチ３９の操作に応じて設定変更状態に制御して設定値を設定する処理）と、
前記有利度設定手段によって設定された有利度（例えば、設定値）を記憶する有利度記憶手段（例えば、メイン制御部４１やサブ制御部９１がＲＡＭに設定値に関する情報を記憶する処理）と、
有利度を示唆する有利度示唆演出（例えば、設定値示唆演出５０１、５０２）を実行する有利度示唆演出実行手段（例えば、サブ制御部９１が実行するステップＳ２０６の処理）とを備え、
前記有利度記憶手段は、所定営業日（例えば、前営業日）に設定されていた有利度を記憶するとともに、前記遊技機への電力供給が停止された後も該所定営業日に設定されていた有利度を継続して記憶することが可能であり（例えば、ＲＡＭ９１ｃが電断後も電断前に記憶されていた設定値に関する情報を継続して記憶可能であり）、
前記有利度示唆演出実行手段は、前記所定営業日以降の営業日（例えば、ＲＡＭ９１ｃが設定値に関する情報を記憶した営業日の翌営業日、現在）において前記遊技機への電力供給が開始されて遊技の制御が開始されたときに（例えば、メイン制御部４１がメイン処理を開始したときに）、前記有利度記憶手段が記憶している前記所定営業日に設定されていた有利度（例えば、前営業日の電断前に設定されていた設定値、前営業日の営業時間内の任意の時刻に設定されていた設定値）を示唆する前記有利度示唆演出を実行する。
【手続補正６】
【補正対象書類名】明細書
【補正対象項目名】００１１
【補正方法】変更
【補正の内容】
【００１１】
このような構成によれば、所定営業日以降の営業日において遊技機への電力供給が開始されて遊技の制御が開始された後に記憶している所定営業日に設定されていた有利度を示唆する有利度示唆演出を実行するので、現在設定されている有利度（所定営業日以降の営業日に設定されている有利度）を間接的に示唆することができ、遊技者は、所定営業日に設定されていた有利度から現在設定されている有利度を推測するようになるので、現在設定されている設定値を直接的に示唆する遊技機よりも現在設定されている有利度を推測することに興味を抱き易くなり、遊技の興趣が向上する。
【手続補正７】
【補正対象書類名】明細書
【補正対象項目名】００１２
【補正方法】変更
【補正の内容】
【００１２】
（２）上記（１）の遊技機において、
日時情報を取得する日時情報取得手段（例えば、ＲＴＣ９７）を更に備え、
前記有利度記憶手段は、前記日時情報取得手段が取得した日時情報に基づいて、前記遊技機への電力供給が停止される前の所定タイミング（例えば、電断処理中、営業時間内の任意の時刻）において前記所定営業日に設定されていた有利度を記憶してもよい（例えば、サブ制御部９１がステップＳ１１１、Ｓ１１２、Ｓ１２１〜Ｓ１２３の処理を実行してもよい）。
【手続補正８】
【補正対象書類名】明細書
【補正対象項目名】００１４
【補正方法】変更
【補正の内容】
【００１４】
（３）上記（１）または（２）の遊技機において、
前記遊技機への電力供給が停止されてから再び電力供給が開始されるまでの電断期間（例えば、電断期間）を特定する電断期間特定手段（例えば、サブ制御部９１が実行するステップＳｔ３、Ｓｔ４、Ｓ１０１、Ｓ１１１、Ｓ１２１の処理）と、
前記電断期間特定手段によって特定された前記電断期間が所定期間（例えば、２日間）を越える期間である場合に、前記有利度記憶手段が記憶しているデータを初期化する記憶初期化手段（例えば、サブ制御部９１が実行するステップＳ１０３、Ｓ１０４）と、
前記記憶初期化手段によって前記有利度記憶手段が記憶しているデータが初期化されている場合に、前記有利度示唆演出実行手段による前記有利度示唆演出の実行を規制する実行規制手段とを更に備えてもよい（例えば、サブ制御部９１がステップＳ１０５、Ｓ２０２の処理を実行してもよい）。
【手続補正９】
【補正対象書類名】明細書
【補正対象項目名】００１６
【補正方法】変更
【補正の内容】
【００１６】
（４）上記（１）から（３）の何れかの遊技機において、
前記遊技機への電力供給が開始されてから前記有利度設定手段によって前記有利度が変更されたときには、前記遊技機への電力供給が開始されてから前記有利度設定手段によって前記有利度が変更されていないときとは異なる遊技の制御を行う遊技制御手段を更に備えてもよい（例えば、メイン制御部４１が設定値を変更されたときに遊技制御情報を初期化することで、設定値と変更されたときと設定値と変更されなかったときとで異なる遊技の制御を行ってもよい）。
【手続補正１０】
【補正対象書類名】明細書
【補正対象項目名】００１７
【補正方法】変更
【補正の内容】
【００１７】
このような構成によれば、遊技機への電力供給が開始されてから有利度が変更されたことを遊技者が認識可能となる。
【手続補正１１】
【補正対象書類名】明細書
【補正対象項目名】００１８
【補正方法】変更
【補正の内容】
【００１８】
（５）上記（１）から（４）の何れかの遊技機において、
前記有利度示唆演出実行手段は、前記有利度記憶手段が記憶している前記所定営業日に設定されていた有利度と前記有利度設定手段によって現在設定されている有利度とに基づいて、前記有利度示唆演出を実行してもよい（例えば、サブ制御部９１が変更例の設定値示唆演出５０２を実行してもよい）。
【手続補正１２】
【補正対象書類名】明細書
【補正対象項目名】００２０
【補正方法】変更
【補正の内容】
【００２０】
（６）上記（１）から（５）の何れかの遊技機において、
前記有利度示唆演出実行手段は、特定条件が成立しているときと前記特定条件が成立していないときとで異なる割合に基づいて前記有利度示唆演出を実行し（例えば、サブ制御部９１が特定条件成立時のみ設定値示唆演出５０１、５０２を実行する可能性があり）、
前記特定条件は、特定状態に制御された回数が所定回数目となる特定状態であることにより成立する条件であってもよい（例えば、特定条件を電源投入から所定回数目（１０回毎）のボーナスに当選する条件としてもよい）。
【手続補正１３】
【補正対象書類名】明細書
【補正対象項目名】００２２
【補正方法】変更
【補正の内容】
【００２２】
（７）上記（１）から（５）の何れかの遊技機において、
前記有利度示唆演出実行手段は、特定条件が成立しているときと前記特定条件が成立していないときとで異なる割合に基づいて前記有利度示唆演出を実行し（例えば、サブ制御部９１が特定条件成立時のみ設定値示唆演出５０１、５０２を実行する可能性があり）、
前記特定条件は、単位遊技が行われた回数が所定回数であるときに制御された特定状態であることにより成立する条件であってもよい（例えば、特定条件を天井ボーナスに当選する条件としてもよい）。
【手続補正１４】
【補正対象書類名】明細書
【補正対象項目名】００２４
【補正方法】変更
【補正の内容】
【００２４】
（８）上記（１）から（５）の何れかの遊技機において、
前記有利度示唆演出実行手段は、特定条件が成立しているときと前記特定条件が成立していないときとで異なる割合に基づいて前記有利度示唆演出を実行し（例えば、サブ制御部９１が特定条件成立時のみ設定値示唆演出５０１、５０２を実行する可能性があり）、
前記特定条件は、遊技機において所定開始条件が成立してから最初に制御された特定状態であることにより成立する条件であってもよい（例えば、サブ制御部９１がステップＳ２０１の処理を実行してもよい）。
【手続補正１５】
【補正対象書類名】明細書
【補正対象項目名】００２６
【補正方法】変更
【補正の内容】
【００２６】
（９）上記（１）から（８）の何れかの遊技機において、
動作可能な可動部材（例えば、第１役物３０２の可動部３０２Ｃ、第２役物４００の移動部）と、
前記可動部材を動作させる制御を行う動作制御手段（例えば、サブ制御部９１が実行するステップＳｈ９の処理）と、
前記遊技機への電力供給が開始され、所定の移行条件（例えば、設定キースイッチ３７がｏｎ状態にされている条件）が成立している場合に、前記有利度が異なる複数種類の設定値（例えば、１〜６の設定値）からいずれかの設定値を選択して設定可能であり、遊技の進行が不能な設定可能状態（例えば、設定変更状態）に制御する設定可能状態制御手段（例えば、メイン制御部４１が設定変更状態に制御する処理）とを更に備え、
前記動作制御手段は、前記遊技機への電力供給が開始されたときに、前記可動部材に初期動作を行わせる初期動作制御を実行可能な初期動作制御手段（例えば、サブ制御部９１が実行するステップＳｈ９の処理）を含み、
前記初期動作制御手段は、前記遊技機への電力供給が開始されたときに、遊技の進行が可能な状態の場合には前記初期動作制御を実行し、前記設定可能状態に制御された場合には前記初期動作制御を実行しなくてもよい（例えば、サブ制御部９１がステップＳｈ３〜Ｓｈ８、Ｓｈ１４〜Ｓｈ１６の処理を実行してもよい）。
【手続補正１６】
【補正対象書類名】明細書
【補正対象項目名】００２８
【補正方法】変更
【補正の内容】
【００２８】
（１０）上記（１）から（９）の何れかの遊技機において、
前記遊技機への電力供給が停止されるときと前記遊技機への電力供給が再開されるときとを特定可能な日付情報および時刻情報を含む日時情報を記憶する日時情報記憶手段（例えば、ＲＡＭ９１ｃ）と、
所定情報（例えば、消化ゲーム数、エラー履歴情報などの遊技制御情報）を記憶する所定情報記憶手段（例えば、ＲＡＭ９１ｃ）と、
前記日付情報に基づき、前記所定情報記憶手段に記憶された前記所定情報のうちの特定情報（例えば、消化ゲーム数、エラー履歴情報などの前営業日に設定されていた設定値及び日時に関する情報以外の遊技制御情報）を初期化する初期化条件（例えば、初期化条件１〜４）が成立するか否かを判定する判定手段（例えば、サブ制御部９１が実行するステップＳｔ８、Ｓｔ１０〜Ｓｔ１３の処理）とを更に備え、
前記判定手段は、
前記日付情報に基づき判定を行う第１判定手段（例えば、サブ制御部９１が実行するステップＳｔ８、Ｓｔ１０の処理）と、
第１判定手段による判定で前記初期化条件が成立しないときに、前記時刻情報に基づき判定を行う第２判定手段（例えば、サブ制御部９１が実行するステップＳｔ１１〜Ｓｔ１３の処理）とを含んでもよい。